(57)【要約】【課題】複数の貯湯タンク方式でも、ヒータレスで風呂の保温或いは追い焚きが行えるようにした貯湯装置を提供する。【解決手段】複数の貯湯タンク２、３を有し、この各貯湯タンクを給水配管及び給湯配管及び加熱手段の循環回路に対して並列接続し、更に各貯湯タンクの内方上部には、風呂の保温或いは追い焚き用の風呂熱交換器を並列接続して備えたので、各貯湯タンク内に並列で備えられた風呂用熱交換器も高温の温水で加熱され、浴槽水の保温或いは追い焚きが可能となり、加熱用のヒータが不用でヒータレスとなって、部品コスト低減及び省電力でランニングコストも低減されるものであり、従来不可能であった複数タンク式のヒータレス追い焚きを簡単な構成で可能として、安価で使用勝手の良い器具を提供するものである。【選択図】  図１
2005055050.tif 000002
【特許請求の範囲】
【請求項１】
複数の貯湯タンクを有し、この各貯湯タンクを給水配管及び給湯配管及び加熱手段の循環回路に対して並列接続し、更に各貯湯タンクの内方上部には、風呂の保温或いは追い焚き用の風呂熱交換器を並列接続して備えた事を特徴とする貯湯装置。
【請求項２】
前記貯湯タンクを２つとした事を特徴とする請求項１記載の貯湯装置。
【請求項３】
前記複数の貯湯タンクの一つにのみ貯湯湯温を検知する貯湯温度センサを備えた事を特徴とする請求項１及び２記載の貯湯装置。
【発明の詳細な説明】
【技術分野】
【０００１】
この発明は複数の貯湯タンクを有する貯湯装置に関するものである。
【背景技術】
【０００２】
従来よりこの種の貯湯装置では、２つの貯湯タンクを給水配管及び給湯配管及び加熱用の循環回路に対して直列接続し、あたかも１つのタンクのようにして使用出来るようにしたものであった。（例えば、特許文献１参照。）
【特許文献１】特開２００２−４８４０４号公報
【発明の開示】
【発明が解決しようとする課題】
【０００３】
ところでこの従来のものでは、２つの貯湯タンクが直列接続しているので、２つの貯湯タンク間には大きな温度差があり、２つの貯湯タンク内にそれぞれ風呂の保温或いは追い焚き用の風呂熱交換器を備えて、加熱用のヒータをなくすようにすることは出来ず、比較的高温水を貯湯する一方の貯湯タンクのみに風呂熱交換器を備えることは可能であるが、一つの貯湯タンクの貯湯量が少ないこともあって、能力不足で追い焚きおろか保温も出来ないと言う問題点を有するものであった。
【課題を解決するための手段】
【０００４】
この発明はこの点に着目し上記問題点を解決する為、特にその構成を、複数の貯湯タンクを有し、この各貯湯タンクを給水配管及び給湯配管及び加熱手段の循環回路に対して並列接続し、更に各貯湯タンクの内方上部には、風呂の保温或いは追い焚き用の風呂熱交換器を並列接続して備えたものである。
【０００５】
又前記貯湯タンクを２つとしたものである。
【０００６】
又前記複数の貯湯タンクの一つにのみ貯湯湯温を検知する貯湯温度センサを備えたものである。
【発明の効果】
【０００７】
この発明によれば、各貯湯タンクは並列接続でタンク内の貯湯温度は同一であるので、各貯湯タンク内に並列で備えられた風呂用熱交換器も高温の温水で加熱され、浴槽水の保温或いは追い焚きが可能となり、加熱用のヒータが不用でヒータレスとなって、部品コスト低減及び省電力でランニングコストも低減されるものであり、従来不可能であった複数タンク式のヒータレス追い焚きを簡単な構成で可能として、安価で使用勝手の良い器具を提供するものである。
【０００８】
更に複数の貯湯タンクの一つにのみ貯湯湯温を検知する貯湯温度センサを備えれば、各貯湯タンクの湯温は同一であるので良く、貯湯温度センサも少なくて済み、この分も安価となり無駄に高価なセンサを多く使用する必要もないものである。
【発明を実施するための最良の形態】
【０００９】
次にこの発明の一実施形態を図面に基づいて説明する。
１はヒートポンプユニットから成る加熱手段で、内方に備えた水−冷媒熱交換器（図示せず）に加熱用循環ポンプ（図示せず）の駆動で、２つの貯湯タンク２、３内の給水を往き管４と戻り管５から成る循環回路６を介して循環させることで、２つの貯湯タンク２、３内に１５０Ｌずつで３００Ｌ、９０℃の高温水を貯湯するもので、往き管４には２つの貯湯タンク２、３の底部を第１往き管４ａと第２往き管４ｂで並列に接続し、戻り管５には２つの貯湯タンク２、３の上部を第１戻り管５ａと第２戻り管５ｂで並列に接続しており、沸かし上げも２つの貯湯タンク２、３同時に行われるものである。
【００１０】
７は各貯湯タンク２、３に給水する給水配管の給水管で、途中には減圧弁８及び給水サーミスタ９が備えられており、貯湯タンク２の底部に接続した第１給水管７ａと、貯湯タンク３の底部に接続した第２給水管７ｂとで並列接続し、同圧の給水圧が作用するように接続されているものである。
【００１１】
１０は各貯湯タンク２、３内の高温水を給湯する給湯配管の給湯管で、貯湯タンク２の上部に接続した第１給湯管１０ａと、貯湯タンク３の上部に接続した第２給湯管１０ｂとで並列接続し、２つの貯湯タンク２、３で同量ずつ適所に設置されている給湯栓（図示せず）より給湯するものである。
【００１２】
１１は浴槽１２と各貯湯タンク２、３内の上部に備えられた蛇管から成る風呂熱交換器１３ａ、１３ｂとを接続する風呂用循環回路で、風呂往き管１４には風呂用循環ポンプ１５が備えられ、途中から貯湯タンク２の内方上部に備えられた風呂熱交換器１３ａに接続する第１風呂往き管１４ａと、貯湯タンク３の内方上部に備えられた風呂熱交換器１３ｂに接続する第２風呂往き管１４ｂの２つに分岐するもので、風呂戻り管１６も貯湯タンク２の内方上部に備えられた風呂熱交換器１３ａに接続する第１風呂戻り管１６ａと、貯湯タンク３の内方上部に備えられた風呂熱交換器１３ｂに接続する第２風呂戻り管１６ｂの２つに分岐されて、風呂熱交換器１３ａ、１３ｂが並列接続しているものである。
【００１３】
１７は給湯管１０途中に備えられた中温水ミキシング弁で、中温水取り出し管１８より取り出された中温水と給湯管１０から取り出される高温水をミキシングして供給するもので、貯湯タンク２の風呂熱交換器１３ａの取り付け位置下方の第１中温水取り出し管１８ａと、貯湯タンク３の風呂熱交換器１３ｂの取り付け位置下方の第２中温水取り出し管１８ｂとが中温水取り出し管１７に並列接続しており、風呂の保温或いは追い焚き運転で温度降下した風呂熱交換器１３ａ、１３ｂ下方の中温水を優先して使用するものである。
【００１４】
１９は前記中温水ミキシング弁１７より下流側の給湯管１０に備えられた給湯ミキシング弁で、中温水ミキシング弁１７でミキシング後の給湯水を、給水管７から分岐した分岐給水管２０を介して供給される給水と混合して設定温度の給湯水として給湯するものである。
【００１５】
２１は前記給湯ミキシング弁１９より下流側の給湯管１０と風呂用循環回路１１とを結ぶ風呂湯張り回路で、開閉弁２２の開成で給湯ミキシング弁１９で風呂の設定温度にミキシングされたお湯を浴槽１２の設定水位まで湯張りするものである。
【００１６】
２３は貯湯タンク２側のみに取り付けられた貯湯湯温を検知するサーミスタから成る複数の貯湯温度センサで、沸き上げや貯湯温度制御に利用されるもので、並列沸き上げ及び並列給水、並列給湯を行うので２つの貯湯タンク２、３があっても、両貯湯タンク２、３は同一の温度状態を保持することから、どちらか一方の貯湯タンクにあれば良いものである。
【００１７】
次にこの一実施形態の作動について説明すれば、格安の深夜電力でヒートポンプユニットである加熱手段１を駆動させることで、貯湯タンク２、３内の低温水を第１、第２往き管４ａ、４ｂで同量吸引し加熱して、高温となった温水を第１、第２戻り管５ａ、５ｂで貯湯タンク２、３へ同量ずつ戻すことで、貯湯温度センサ２３の検知温度を利用して駆動を制御し、午前７時までには２つの貯湯タンク２、３に９０℃の高温水が貯湯される。
【００１８】
給湯は給湯栓を開くことで、第１、第２給湯管１０ａ、１０ｂを介して貯湯タンク２、３内上部の高温水が同量ずつ給湯に使用され、中温水がない状態では、給湯ミキシング弁１９で給水とミキシングされて設定温度の給湯として供給されるものであり、この給湯使用と同時に貯湯タンク２、３下方の第１、第２給水管７ａ、７ｂからは取り出された高温水と同量の給水が各貯湯タンク２、３に供給され、この給水圧で高温水は取り出されるものであり、２つの貯湯タンク２、３は常に同一の温度状態で保持されている。
【００１９】
更に風呂湯張り回路２１で湯張り後の浴槽水が温度低下した場合の保温或いは追い焚きは、風呂用循環ポンプ１５を駆動することで、温度低下した浴槽水が第１、第２風呂往き管１４ａ、１４ｂから風呂熱交換器１３ａ、１３ｂを流通し、貯湯タンク２、３内上部の高温水と熱交換して、高温となった浴槽水は第１、第２風呂戻り管１６ａ、１６ｂを介して浴槽１２に戻され、順次この循環を繰り返すことで浴槽水を一定温度に保持する保温或いは、所定温度まで沸き上げる追い焚きが行われるものである。
【００２０】
この風呂熱交換器１３ａ、１３ｂによる風呂の保温或いは追い焚きは、並列沸き上げ及び並列給水、並列給湯と風呂熱交換器１３ａ、１３ｂの並列接続で可能となったもので、貯湯タンク２、３が同一温度状態に保持することで、２つの風呂熱交換器１３ａ、１３ｂで素早く良好に加熱出来るものである。
【００２１】
従って、複数貯湯タンク２、３の方式の貯湯装置でも、浴槽水の保温或いは追い焚きが可能となり、加熱用のヒータが不用でヒータレスとなって、部品コスト低減及び省電力でランニングコストも低減されるものであり、従来不可能であった複数タンク式のヒータレス追い焚きを簡単な構成で可能として、安価で使用勝手の良い器具を提供するものである。
【００２２】
更に複数の貯湯タンク２、３の一つにのみ貯湯湯温を検知する貯湯温度センサ２３を備えれば、各貯湯タンク２、３の湯温は同一であるので良く、貯湯温度センサ２３も少なくて済み、この分も安価となり無駄に高価なセンサを多く使用する必要もないものである。
【図面の簡単な説明】
【００２３】
【図１】この発明の一実施形態を示す貯湯装置の概略構成図。
【符号の説明】
【００２４】
１  加熱手段
２、３  貯湯タンク
６  循環回路
７  給水管（給水配管）
１０  給湯管（給湯配管）
１３ａ、１３ｂ  風呂熱交換器
【図１】
2005055050.tif 000003